(57)【要約】　　　（修正有）【課題】マッサージ効果の高いマッサージ器具を提供する。【解決手段】マッサージ器具２の表面へ複数の等間隔に配列されるマッサージ用突起２１を設け、該マッサージ用突起の高度は０．５ｃｍ〜２．０ｃｍであり、該マッサージ用突起の間隔２１０はマッサージ用突起の高度２１１よりも大きい。マッサージ器具を手に持ち人体のマッサージを必要とする部位に当てる時、その配列するマッサージ用突起は人体を指圧しながら回転し、該マッサージ用突起の重心は端へ移動し、マッサージ用突起の間隔は高度よりも大きいため、人体へ適切に当たり、該マッサージ用突起がマッサージ部位を離れると素早く別のマッサージ用突起が下へ向かって人体をマッサージする。マッサージ器具が当たる部位の周辺の筋肉も連帯してぴくぴくと動き、指圧マッサージ効果を得られる。【選択図】　　図３
0003098953.tif 000002
【実用新案登録請求の範囲】
【請求項１】
一体成型されたマッサージ器具であって、その表面に複数のマッサージ用突起を設け、該マッサージ用突起の高度は０．５ｃｍ〜２．０ｃｍであり、該マッサージ用突起の間隔はマッサージ用突起の高度よりも大きく、
マッサージ器具を手に持ち人体のマッサージを必要とする部位へ当てることにより配列するマッサージ用突起は回転しながら人体を推し、該配列するマッサージ用突起の重心は端へ移動し、マッサージ用突起の間隔は高度よりも大きいので人体へ適切に当たり、該配列するマッサージ用突起がマッサージ部位から離れると別の配列するマッサージ用突起が素早く下へ向かって推して人体をマッサージし、マッサージ器具の当たる部位の周辺の筋肉も連帯してぴくぴくと動き（筋ポンプ）、指圧のマッサージ効果を得られる
ことを特徴とするマッサージ器具。
【考案の詳細な説明】
【０００１】
【考案の属する技術分野】
本考案は、一種のマッサージ用突起が人体に当たる時、筋肉がぴくぴくと動き、その周辺の筋肉も連帯してぴくぴくと動くマッサージ効果を産出する高速回転するマッサージ器具に係り、
とくにその表面に配列する複数のマッサージ用突起を設け、該マッサージ用突起の高度は０．５ｃｍ〜２．０ｃｍであり、該マッサージ用突起と突起の間隔は該突起の高度よりも大きく、血行促進、コリの軽減、疲労回復の目的を達成するマッサージ効果を得るための構造に関わる。
【０００２】
【従来の技術】
公知のマッサージ器具１は図１に示すように、主に二つの台１０を設け、二つの台１０の間に二つの軸桿１１を設け、該二つの軸桿１１へ複数の突起柱１２を設け、各突起柱１２の縦横へ等しい距離の溝１３を設け、例として、マッサージ器具１を手に持ち人体のマッサージを必要とする部位（方、首、脊椎、背、手、足、等）へ当ててマッサージをすると、突起柱１２は下へ向かって圧力を与えながら動く。また突起柱１２に切溝１３を設けているのでマッサージ器具の表面は凹凸となり、該凹凸がマッサージの効果となる。
【０００３】
【考案が解決しようとする課題】
ところが、上記公知の構造の欠点として、公知のマッサージ器具１は突起柱１２の壁面は平らで真っ直ぐであるため、人体に触れる面積に限りがあり、人体をマッサージする時、小さな面積ではしっかりと指圧することも難しく、マッサージ効果にも限りがでてくるため、本考案は確実に人体をマッサージするマッサージ器具の提供を課題とする。
【０００４】
【課題を解決するための手段】
上記課題を解決するため、本考案は下記のマッサージ器具を提供する。
それは、主に一体成型されているマッサージ器具であり、その表面には複数の等間隔にならんだマッサージ用突起を設け、該マッサージ用突起の高度は０．５ｃｍ〜２．０ｃｍであり、該マッサージ用突起と突起の間隔はマッサージ用突起の高度よりも大きいマッサージ器具を提供する。
すなわち本考案のマッサージ器具は、
一体成型されたマッサージ器具であって、その表面に複数のマッサージ用突起を設け、該マッサージ用突起の高度は０．５ｃｍ〜２．０ｃｍであり、該マッサージ用突起の間隔はマッサージ用突起の高度よりも大きく、
マッサージ器具を手に持ち人体のマッサージを必要とする部位へ当てることにより配列するマッサージ用突起は回転しながら人体を推し、該配列するマッサージ用突起の重心は端へ移動し、マッサージ用突起の間隔は高度よりも大きいので人体へ適切に当たり、該配列するマッサージ用突起がマッサージ部位から離れると別の配列するマッサージ用突起が素早く下へ向かって推して人体をマッサージし、マッサージ器具の当たる部位の周辺の筋肉も連帯してぴくぴくと動き（筋ポンプ）、指圧のマッサージ効果を得られる
ことを特徴とする。
【０００５】
【考案の実施の形態】
まず、図２に示すように、本考案のマッサージ器具２は人体工学により中細り状の凹型の弧状２０を呈し、該凹型の弧状２０の表面へ等間隔で平行配列又は等間隔で交差配列する複数のマッサージ用突起２１を設け、該マッサージ用突起２１の先端は弧状を呈し、該マッサージ用突起の高度は０．５ｃｍ〜２．０ｃｍであり、該マッサージ用突起２１の間隔２１０はマッサージ用突起２１の高度２１１より大きい（図３に示す）。また、マッサージ器具２の両側面に軸孔２２を設ける。
図４に示すように、マッサージ器具２を手に持ちマッサージを必要とする人体の部位４（方、首、脊椎、背、手、足、など）へ当て、その中配列するマッサージ用突起２１が人体の部位４をマッサージしながら回転すると、該マッサージ用突起２１の重心は端へ移動する。
マッサージ用突起２１の間隔２１０は高度２１１より大きいので、該マッサージ用突起２１が人体の部位４から離れると、別の配列するマッサージ用突起２１が素早く人体のマッサージを必要とする部位へ当たる。
マッサージ器具２が当たる部位の周辺の筋肉もぴくぴくと動き（筋ポンプ）、人体の各部位を確実にマッサージし、血行促進、コリを軽減、疲労回復の効果を得る。
【０００６】
図５に本考案の別の実施例を示す。主に上述のマッサージ器具２へ取って３を設け、該取っ手３は略冂型を呈し、取って３の上部へグリップ部３０を設け、取って３の両端部は相対するように内側へ向かって折れ曲がり軸３１となり、マッサージ器具２の軸孔２２へ挿設する。使用する時、図６に示すように、取って３を握りマッサージ器具２はマッサージを必要とする部位４（肩、首、脊椎、背、手、足、など）へ当てて動かし、マッサージ器具２は取って３の軸３１を軸心として回転する。すなわち上述の実施例と同様の動きとなり、マッサージの効果を得られる。
【０００７】
本考案のマッサージ器具２は、また軸孔２２内へグリップ桿５（図７に示す）を設け、グリップ桿５を握り推し動かす。即ち上述の実施例と同様の動きとなりマッサージ効果を得られる。
【０００８】
また、図８に示すように、該マッサージ器具２を並列させ、該マッサージ器具２へ取って体６を設け、該取って体６は少なくとも二つの連桿６０を設けており、各該連桿６０はそれぞれ冂型を呈し、該連桿６０の両端は相対するように内側へ向かって折れ曲がり軸６１となり、マッサージ器具２の軸孔２２内へ挿設し、二つの該連桿６０間へ取って桿６２を設け、該取って桿６２を握り、マッサージ器具２を推し動かす。即ち上述の実施例と同様の動きとなりマッサージ効果を得られる。
【０００９】
【考案の効果】
以上説明したように、本考案によると、人体の各部位を確実にマッサージすることができ、血行促進、コリを軽減、疲労回復の目的が達成された。
【図面の簡単な説明】
【図１】公知のマッサージ器具の立体図である。
【図２】本考案の立体図である。
【図３】本考案の側面図である。
【図４】本考案を手に持ち回転させる指示図である。
【図５】本考案のもう一つの実施例の立体図である。
【図６】図５の使用指示図である。
【図７】本考案における別の実施例の立体図である。
【図８】本考案における別の実施例の立体図である。
【符号の説明】
１　　マッサージ器具
１０　台
１１　軸桿
１２　突起柱
１３　切溝
２　　マッサージ器具
２０　凹型の弧状
２１　マッサージ用突起
２１０　間隔
２１１　高度
２２　軸孔
３　　取って
３０　グリップ部
３１　軸
４　マッサージを必要とする部位
５　グリップ桿
６　取って体
６０　連桿
６１　軸
６２　取って桿
【図１】
0003098953.tif 000003
【図２】
0003098953.tif 000004
【図３】
0003098953.tif 000005
【図４】
0003098953.tif 000006
【図５】
0003098953.tif 000007
【図６】
0003098953.tif 000008
【図７】
0003098953.tif 000009
【図８】
0003098953.tif 000010